(57)【要約】【課題】  花の配置の多様性に富み、特に花瓶の前面からも花を安定した状態で生けることのできる花留め付き花瓶を提供する。【解決手段】  本考案の花留め付き花瓶は、上端開口部から側部の高さ方向中央部にかけて略Ｖ字状又はＵ字状の切り欠き部が形成された花瓶本体の中に、花瓶本体の周方向に湾曲した湾曲面を有するとともに上端部が折り曲げ自在に形成されている花留め用の合成樹脂製ネットが前記切り欠き部を内側から覆うように配設されている。【選択図】        図１
0003135025.tif 000002
【実用新案登録請求の範囲】
【請求項１】
上端開口部から側部の高さ方向中央部にかけて略Ｖ字状又はＵ字状の切り欠き部が形成された花瓶本体の中に、花瓶本体の周方向に湾曲した湾曲面を有するとともに上端部が折り曲げ自在に形成されている花留め用の合成樹脂製ネットが前記切り欠き部を内側から覆うように配設されている花留め付き花瓶。
【考案の詳細な説明】
【技術分野】
【０００１】
本考案は花留め付き花瓶に関する。
【背景技術】
【０００２】
従来、花瓶に生ける花を支持・固定するための網目状の花留めや、このような花留めを花瓶本体中に配設した花留め付き花瓶が知られている。例えば、実開昭６２−５０７０号公報には、草花の茎が挿通可能な網目を有する固定網を輪体に形成し、内縁に重しを周設するとともに、外縁に花器の開口縁に掛合可能な掛止具を固着した花器用草花留め具が開示されている。
【０００３】
実公平３−３５１８７号公報には、花類を所望の形や所望の傾斜角度を保持した状態で簡単に固定させるようにした花瓶として、花瓶上端開口部近傍に着脱自在に嵌挿支持された筒状の枠体を形成し、該枠体に対し、伸縮及び屈曲自在なコイルバネを格子状に組み込み、その網目で花の茎部又は枝部を支持固定する網体を上下適間隔を存して複数段張設した花固定具を設けた花瓶が開示されている。
【０００４】
実開平５−８０３６７号公報には、茎からの枝の状態にかかわらず、使用者の意図に応じて花の配置を自在に、しかも確実に選ぶことができるようにするために、花器本体の上部に平行線状網を複数枚重畳して網目状あるいは平行線状に形成し、当該花器本体の下部には切断された切り花の茎の先端を係止するための湾曲した内曲面に層状の段溝が形成された花立て用花器が提案されている。
【０００５】
実用新案登録第３０３６７５５号には、どのような形の花器、花瓶でも花を倒れないように生ける花留めとして、弾力性のある樹脂ネットを円筒形に成形し、上底も同じネットで覆った生け花用マルチ花留めが開示されている。
【０００６】
【特許文献１】実開昭６２−５０７０号公報
【特許文献２】実公平３−３５１８７号公報
【特許文献３】実開平５−８０３６７号公報
【特許文献４】実用新案登録第３０３６７５５号
【考案の開示】
【考案が解決しようとする課題】
【０００７】
しかしながら、花瓶の上端開口部の広さには自ずと制限があり、花の配置の多様性にも限界がある。
したがって、本考案の目的は、花瓶の前面からも花を安定した状態で生けることができ、花の配置の多様性を著しく拡大できる花留め付き花瓶を提供することにある。
【課題を解決するための手段】
【０００８】
本考案者は、上記の目的を達成するために鋭意検討した結果、特定形状の切り欠き部を有する花瓶本体の中に、特定形状の花留め用のネットを特定の位置に配設すると、深さのある花瓶であっても、花瓶の前面において、剣山を用いることなく花を所望の向き、傾斜角度に支持・固定でき、使用できる花の種類や花の配置の多様性が大幅に増加し、立体性に富んだ生け花をものすることができることを見いだし、本考案を完成した。
【０００９】
すなわち、本考案は、上端開口部から側部の高さ方向中央部にかけて略Ｖ字状又はＵ字状の切り欠き部が形成された花瓶本体の中に、花瓶本体の周方向に湾曲した湾曲面を有する花留め用の合成樹脂製ネットが前記切り欠き部を内側から覆うように配設されている花留め付き花瓶を提供する。
【考案の効果】
【００１０】
本考案によれば、花瓶本体の上端開口部から側部の高さ方向中央部にかけて略Ｖ字状又はＵ字状の切り欠き部が形成されているとともに、花瓶本体の中に花瓶本体の周方向に湾曲した湾曲面を有するとともに上端部が折り曲げ自在に形成されている花留め用の合成樹脂製ネットが該切り欠き部を内側から覆うようにして配設されているので、合成樹脂製ネットの網目から花を挿すことにより、花瓶の前部からも花を生けることができる。そのため、花瓶の前部に丈の短い花や花自体の大きさが小さい草花を、花瓶の上方から挿す花とのバランスを考慮しながら生けることができる。また、花瓶の前部に花を生けても、花は花留め用のネットにより支持されるので、使用者の意図に応じた花の姿勢を保持できる。また、花留め用のネットが柔軟性を有する合成樹脂でできているため、花瓶前部に生ける花の方向や傾斜角度を大きな自由度をもって調整することができる。そのため、深さのある花瓶であっても使用できる花の種類や花の配置の自在性が格段に高まり、開口部の広い生け花用花器のように立体的で芸術性に富んだ生け花をなすことができる。しかも、剣山を用いることなく、それぞれの花を所望する姿勢に保持できる。さらに、ネット上端部が折り曲げ自在に形成されているので、配り木が無くても、花瓶の上方から挿す花をも所望の位置及び方向に安定して支持することができ、使用者の意図に応じた花の姿勢を保持できる。さらにまた、花瓶側部の切り欠き部の形状と、切り欠き部から覗く花留め用のネットの網目模様によりこれまでの花瓶にはない斬新な意匠性が生じる。
【考案を実施するための最良の形態】
【００１１】
以下に、本考案を必要に応じて図面を参照しつつ詳細に説明する。図１は本考案の花留め付き花瓶の一例を示す斜視図である。図２は本考案の花留め付き花瓶に用いる花留め用合成樹脂製ネットの一例を示す斜視図である。図中、１は花瓶本体、２は花留め用の合成樹脂製ネット、３は切り欠き部である。
【００１２】
花瓶本体１の材質は特に限定されないが、略Ｖ字状又はＵ字状の切り欠き部を形成しやすい点から、陶器製の花瓶やガラス製の花瓶が好ましい。花瓶本体１の形状としては、略円筒状（円筒状、上にやや広がった円筒状、上にややすぼんだ円筒状、中央部がやや膨らんだ円筒状等）、角筒状、壺状などの何れであってもよいが、湾曲面を有する花留め用ネットの設置性の観点から、略円筒状が好ましい。花瓶本体１の大きさは特に限定されないが、上端開口部の直径は１００〜３００ｍｍ程度が好ましく、高さは１５０〜１０００ｍｍ程度が好ましい。
【００１３】
花瓶本体１には、上端開口部から側部の高さ方向中央部にかけて略Ｖ字状又はＵ字状の切り欠き部３が形成されている。切り欠き部３は、花瓶の奥に生けられる花の支持性を高める点及び花瓶の本来有する外観を生かすという観点から、花瓶本体１の上端開口部の周縁の１／３〜３／４を残して形成されているのが好ましい。切り欠き部３は花瓶本体１の側部の高さ方向中央部までにとどまるので、花瓶に水を十分入れることができるとともに、不揃いな花の茎の切り口部分を観賞者から隠すことができる。花瓶本体の側部の高さ方向中央部とは、花瓶本体の高さの１／４〜３／４の位置、より好ましくは１／３〜２／３の位置である。
【００１４】
切り欠き部３は略Ｖ字状又はＵ字状であればよく、意匠性を高めるため不規則なラインにより切り欠き部３を形成してもよい。
【００１５】
本考案では、花瓶本体の周方向に湾曲した湾曲面を有するとともに上端部２ａが折り曲げ自在に形成されている花留め用の合成樹脂製ネット２が、切り欠き部３を内側から覆うように配設されている。そのため、花瓶本体１の側部のネット２の網目から花を挿すことができ、花瓶の上部のみならず前面（観賞者の手前側）にも花を生けることができる。また、ネット２の上端が折り曲げ自在であるため、配り木が無くても、花瓶の上方から挿す花を安定して支持することができ、使用者の意図に応じた花の姿勢を保持できる。したがって、生ける花の大小、長短の選択の幅、組み合わせの幅が大幅に広がる。また、ネット２が柔軟性を有する合成樹脂製であるため、生ける花の方向、傾斜角度などを１本１本自由に選択できる。そのため、全体として極めて立体的でしかも自在性に富んだ多様な花の配置が可能となる。
【００１６】
ネット２の材質としては合成樹脂であれば特に限定されないが、柔軟性の高い合成樹脂、例えばポリエチレン等のオレフィン系樹脂が特に好ましい。ネット２の網目の間隔としては、例えば１０〜５０ｍｍの範囲から適宜選択できる。ネット２として、「ネトロン（登録商標）」（大日本プラスチック株式会社製）などの市販品を使用してもよい。
【００１７】
ネット２の形状としては、湾曲面を有していればよく、例えば、円筒状、半円筒状（樋状）等のネットを使用できる。円筒状や半円筒状の場合、その径は一定である必要はなく一方向に漸次大きくなっていてもよい。また、径や長さは、花瓶本体１の大きさに合わせて選択できる。
【００１８】
ネット２の上端部２ａを折り曲げ自在に形成する方法としては、特に限定されず、適宜な方法を採用できる。例えば、ネット２の上端において、連続した網目を切り離して１〜２程度の網目を独立させたり、網目を構成する樹脂糸を縦方向又は横方向に切断して樹脂糸をフリーにすることによりネット２の上端部２ａを折り曲げ自在にすることができる。折り曲げ自在となった部位は、いわゆる「手」として利用することができ、配り木の使用を省くことができる。
【００１９】
ネット２の配設の仕方としては、ネット２の湾曲面が花瓶本体の周方向となるような配設の仕方であれば特に限定されない。
【図面の簡単な説明】
【００２０】
【図１】本考案の花留め付き花瓶の一例を示す斜視図である。
【図２】本考案の花留め付き花瓶に用いる花留め用合成樹脂製ネットの一例を示す斜視図である。
【符号の説明】
【００２１】
１  花瓶本体
２  花留め用の合成樹脂製ネット  
３  切り欠き部
【図１】
0003135025.tif 000003
【図２】
0003135025.tif 000004